(57)【要約】【課題】  歩行機能に回転機能を付加した履物を提供する。【解決手段】  上記課題を解決するために、本発明は、足置き部材の下側に、少なくとも一枚以上の回転盤を配置し、更に足置き部材と回転盤との間に回転軸を形成し、該回転軸により足置き部材と回転盤とを接続する。そして足置き部材の上部に足カバーを取り付けたことを特徴とする回転盤付き履物を提供する。【選択図】  図１
2006192226.tif 000002
【特許請求の範囲】
【請求項１】
足置き部の下側に少なくとも一枚以上の回転盤を配置し、更に足置き部と回転盤の間に回転軸を形成し、該回転軸により足置き部と回転盤とを接続する。そして足置き部の上部に足カバーを取り付けたことを特徴とする回転盤付き履物。
【請求項２】
回転軸を棒状にして形成した請求項１に記載の回転盤付き履物。
【請求項３】
回転軸を環状にして形成した請求項１に記載の回転盤付き履物。
【請求項４】
足カバーを板状部材を湾曲させて形成した請求項１〜３のいずれかに記載の回転盤付き履物。
【請求項５】
足カバーをベルトで形成した請求項１〜４のいずれかに記載の回転盤付き履物。
【請求項６】
足置き部の下面と回転盤の上面を相互に摩擦係数の異なる部材で形成した請求項１〜５のいずれかに記載の回転盤付き履物。
【請求項７】
回転盤の底部に滑り止めの手段を施した請求項１〜６のいずれかに記載の回転盤付き履物。
【請求項８】
回転盤の底部にゴム材を取りつけて滑り止めの手段とした請求項７に記載の回転盤付き履物。
【請求項９】
靴、サンダル、スリッパである請求項１〜８のいずれかに記載の回転盤付き履物。
【発明の詳細な説明】
【技術分野】
【０００１】  本発明は足腰の筋肉を鍛えるための履物に関する。
【背景技術】
【０００２】  従来、筋肉を鍛えるための履物としてダイエットサンダルなる物が提供されている。これは、サンダルの踵部分をなくし、足先部で立って歩くことにより、ふくらはぎの筋肉強化とダイエット効果を狙ったものである。しかしながら、このダイエットサンダルでは足の先端で立って歩くという運動による効果だけであり、他の運動効果を得ることができなかった。
【発明が解決しようとする課題】
【０００３】  本発明は履物に歩行機能だけでなく、回転機能を付加することを課題とする。
【課題を解決するための手段】
【０００４】  上記課題を解決するために、本発明は次ぎの如き回転盤付き履物を提供する。
１、足置き部の下側に少なくとも一枚以上の回転盤を配置し、更に足置き部と回転盤の間に回転軸を形成し、該回転軸により足置き部と回転盤とを接続する。そして足置き部の上部に足カバーを取り付けたことを特徴とする回転盤付き履物。
２、回転軸を棒状にして形成した上記第１項に記載の回転盤付き履物。
３、回転軸を環状にして形成した上記第１項に記載の回転盤付き履物。
４、足カバーを板状部材を湾曲させて形成した上記第１〜３項のいずれかに記載の回転盤付き履物。
５、足カバーをベルトで形成した上記第１〜４項のいずれかに記載の回転盤付き履物。
６、足置き部の下面と回転盤の上面を相互に摩擦係数の異なる部材で形成した上記第１〜５項のいずれかに記載の回転盤付き履物。
７、回転盤の底部に滑り止めの手段を施した上記第１〜６項のいずれかに記載の回転盤付き履物。
８、回転盤の底部にゴム材を取り付けて滑り止めの手段とした上記第７項に記載の回転盤付き履物。
９、靴、サンダル、スリッパである上記第１〜８項に記載の回転盤付き履物。
【発明実施の形態】
【０００５】  以下、図面を参照しながら本発明の各種態様に係る回転盤付き履物に関して説明する。以下の説明は、本発明の技術思想を具現化する幾つかの具体例を説明するものであり、本発明は以下の説明に限定されるものではない。
【０００６】図１は本発明の一態様に係る回転盤付き履物の形態を示す正面図ａと平面図ｂと断面図ｃである。図１に示す回転盤付き履物は足を乗せる足置き部１とその下側に配置された回転盤２とそれらを接続する回転軸３と足カバー４とで構成されている。これを使用する際にはこれを対にして、足カバー４に足先を入れて履くと、通常のスリッパと同じように使用することができる。そして、乗せた足を回転させると足置き部１が回転軸３により回転盤２の上で回転し、回転運動が可能となる。回転運動により歩行運動では得られなかった足腰の筋肉強化の効果が得られる。両足で同時に行うと運動量が増え、更に大きな足腰の筋肉トレーニングをすることができる。通常のスリッパを使用して床面で回転運動を行うと履物の底部が滑り、一定した体のバランスをとることが難しくなり、運動を継続させることができず、又床等を直接擦るため床を傷つける不具合が生じる。本発明は底部に回転盤２を形成し回転運動を容易にしてこの不具合を解消せんとするものである。更に詳細に就いて説明すれば、足置き部１の形状及び厚みは任意であり、図１に示すように板状であっても構わない。又本発明の回転盤付き履物は運動不足解消の為、主として大人を対象としているので、足置き部１の長さを１８ｃｍ以下に形成して踵が乗らない形状にしても良い。この様にすると足先部分で立つこととなり、ふくらはぎの筋肉を強化することができる。又、この場合、足置き部１及び回転盤２を１８ｃｍ以下の寸法に形成しても良い。又、外側を厚くして内側を薄くして足を回転させた最に足が外に外れ難い構造としても良い。又、先端部を薄くし後部を厚くしても良い。又、足置き部１の上面には滑り止めの凹凸又は指圧用の突起を付けても良いし、これらを取り付け取り外し可能な構造としても良い。又足置き部１の底部に他部材を接合してこれに回転軸３を取り付けても良い。次ぎに回転盤２を説明すれば、図１で回転盤２は円形の板状部材で示しているが、形状は任意であり、多角形や動物の形などに形成しても良い。但し実施上は直径６ｃｍ以上の円形が好ましい。又、回転盤２は足置き部材１の下側に複数枚形成されていても良い。又、回転盤２は盤という言葉で示しているが皿状である必要は無く板状又は板状に凹凸を有していても構わない。又、回転盤２を取りつける際、足置き部１の下面と接する回転盤２の上面を摩擦係数の異なる部材で形成すると良い。同質の部材の場合、例えば同質の金属のような場合、擦り合わせると分子間で吸い付き現象が起こり、摩擦係数が増える恐れがあるので別部材が好ましい。実施上、硬質且つ平滑な合成樹脂と繊維質のフエルトやグラスウール等が選択できる。次ぎに、回転軸３について云えば、図１に示す回転軸３は円柱状の棒状部材で形成され、片側は足置き部材１に固定されており、他方の先端は回転盤２を貫通して軸受けとし、固定部材５で抜けない様に固定されている。実施上、反対に回転軸３を回転盤２に固定し、上記で述べた足置き部１の底部に接合した別部材を軸受けとしても良い。又、回転軸３は円柱であっても環状であっても構わない。又、回転軸３取り付け位置について云えば、足置き部１の先端から５ｃｍ以上内側部分が好ましい。これ以上先端部に位置すると、履いた際に足の重心より先端にずれるため回転がし難い不具合が生じるからである。次ぎに足カバーについて云えば、足カバーは足を足カバー４の内側に入れて足を持ち上げた際、足置き部１を足と共に持ち上げることができるものであれば、それらは全て足カバーと見なすことができる。図１では足カバー４は薄い板状部材を湾曲させた形状で示している。この場合、該足カバー４は硬質の部材でも良いし柔軟性を有する部材でも構わない。又、実施上は柔軟性を有したバンドでも良いし、長さを調節できるバンドでも良い。又は鼻緒の形状でも良いし、又は硬質の棒状又は板状の部材でも良い。又は、その他の物でも良い。
【０００７】  図２は本発明に係る別の態様を示す平面図ａと断面図ｂである。図２に示す回転盤付き履物は回転盤２の外側に板状の押さえ部材６を環状に配置固定して回転軸とし、これに円形状に形成した足置き部１を嵌着させたものである。実施上、環状の回転軸は連続した環でなくても構わない。円周上の複数箇所に押さえ部材６を配置しても回転軸の形成は可能である。又、実施上、回転軸を環状のボールベアリングで形成しても良い。
【０００８】  図３は本発明に係る別の態様を示す側面図である。図３に示す回転盤付き履物は足置き部１の下面と回転盤２の上面を硬質且つ平滑な部材７で形成し、その間に板状の繊維質部材８を挟んだ断面図である。この点に就いては上記
【０００６】で説明しているが、図３では回転盤２が２枚の場合の態様を示している。前記においては述べていないが、繊維質部材８にはゴム質のような摩擦係数の高い素材は適切でないことは本発明の主旨から明白である。これは上記説明の場合も同様である。
【０００９】  図４は本発明に係る別の態様を示す側面図である。図４に示す回転盤付き履物は回転盤２の底部にゴム材９を取りつけて、滑り止めとした側面図である。本発明においては、足置き部１が回転盤２の上で回転する際、回転盤２が足置き部１と共に回転すると床に傷を付けたりする不具合が生じるため、本態様では回転盤２の底部にゴム材を取り付けて、滑りを止めるものである。実施上、ゴム材は板状にして全面に取り付けても良いし部分的でも良い。又、面に凹凸を付けると更に滑り止めの効果を得ることができる。
【００１０】  上記において、本発明の回転盤付き履物の各部の好ましい形状及び寸法及び材質に就いて説明したが、上記説明に限定されることなく形状、材質は適宜経験的に決定できる。又、実施上、本発明の回転盤付き履物は靴、サンダル、スリッパ等に適用できる。
【発明の効果】
本発明に係る回転盤付き履物に依れば、歩行運動に加えて床や絨毯を直接こすることなく、容易に回転運動をすることができる。
【図面の簡単な説明】
【図１】  本発明の一態様に係る回転盤付き履物の構造を示す正面図と平面図と断面図である。
【図２】  本発明の一態様に係る回転盤付き履物の構造を示す平面図と断面図である。
【図３】  本発明の一態様に係る回転盤付き履物の構造を示す側面図である。
【図４】  本発明の一態様に係る回転盤付き履物の構造を示す側面図である。
【符号の説明】
１  足置き部
２  回転盤
３  回転軸
４  足カバー
５  固定部材
６  押さえ部材
７  硬質且つ平滑な部材
８  繊維質部材
９  ゴム材
【図１】
2006192226.tif 000003
【図２】
2006192226.tif 000004
【図３】
2006192226.tif 000005
【図４】
2006192226.tif 000006